(57)【要約】【課題】装着が容易な保冷バンドおよび保温バンドを提供する。【解決手段】弾性力により人体の首および／または頭に留まるＣ字形のフレーム１と、速乾性繊維で織られた布からなり、フレームを内包する帯状の外袋２と、外袋に内包された保水材３または発熱材４とからなる。保水バンドＡを水に浸し軽く絞った後に首や頭に着用すれば、気化熱の効果により首や頭を冷やすことができる。保冷バンドＡを首および／または頭に容易に装着できる。保冷バンドＡを水に浸したとしても、外袋２がすぐに乾き、首や頭がべたつく恐れがない。保温バンドＣを首に着用すれば、首を温めることができ防寒対策となる。【選択図】図１
2013128514.tif 000002
【特許請求の範囲】
【請求項１】
弾性を有するＣ字形のフレームと、
該フレームを内包する帯状の外袋と、
該外袋に内包された保水材と、を備える
ことを特徴とする保冷バンド。
【請求項２】
前記フレームは、弾性力により人体の首および／または頭に留まる形状を有する
ことを特徴とする請求項１記載の保冷バンド。
【請求項３】
前記外袋は、その内部が幅方向に複数分割されており、分割された一の内部空間に前記フレームを内包する
ことを特徴とする請求項１または２記載の保冷バンド。
【請求項４】
前記外袋は速乾性繊維で織られた布からなる
ことを特徴とする請求項１、２または３記載の保冷バンド。
【請求項５】
弾性を有するＣ字形のフレームと、
該フレームを内包する帯状の外袋と、
該外袋に内包された発熱材と、を備える
ことを特徴とする保温バンド。
【請求項６】
前記フレームは、弾性力により人体の首に留まる形状を有する
ことを特徴とする請求項５記載の保温バンド。
【請求項７】
前記発熱材は、酢酸ナトリウム水溶液またはシリカゲルである
ことを特徴とする請求項５または６記載の保温バンド。
【発明の詳細な説明】
【技術分野】
【０００１】
本発明は、保冷バンドおよび保温バンドに関する。さらに詳しくは、人体の首や頭に装着して体温を調節する保冷バンドおよび保温バンドに関する。
【背景技術】
【０００２】
夏期に、野外で肉体労働やスポーツを行うときは、体温が上昇しやすいので熱中症にかかりやすいという問題があった。
従来、熱中症予防や冷感を得るものとして保冷バンドがあった（特許文献１）。
この保冷バンドは帯状の布に吸水性をもたせ、さらに保冷剤を保持するポケットを形成したものである。そして、使用の際は、首に巻いたり頭に巻いたりして、首や頭を低温に保持するものである。
【０００３】
しかるに、従来の保冷バンドは、帯状の布を首や頭に巻いて装着する必要があるため、装着が面倒であった。
【０００４】
また、防寒のために首に装着する保温バンドは、従来存在しなかった。
【先行技術文献】
【特許文献】
【０００５】
【特許文献１】実用新案登録第３１４８５２５号
【発明の概要】
【発明が解決しようとする課題】
【０００６】
本発明は上記事情に鑑み、装着が容易な保冷バンドおよび保温バンドを提供することを目的とする。
【課題を解決するための手段】
【０００７】
第１発明の保冷バンドは、弾性を有するＣ字形のフレームと、該フレームを内包する帯状の外袋と、該外袋に内包された保水材と、を備えることを特徴とする。
第２発明の保冷バンドは、第１発明において、前記フレームは、弾性力により人体の首および／または頭に留まる形状を有することを特徴とする。
第３発明の保冷バンドは、第１または第２発明において、前記外袋は、その内部が幅方向に複数分割されており、分割された一の内部空間に前記フレームを内包することを特徴とする。
第４発明の保冷バンドは、第１、第２または第３発明において、前記外袋は速乾性繊維で織られた布からなることを特徴とする。
第５発明の保温バンドは、弾性を有するＣ字形のフレームと、該フレームを内包する帯状の外袋と、該外袋に内包された発熱材と、を備えることを特徴とする。
第６発明の保温バンドは、第５発明において、前記フレームは、弾性力により人体の首に留まる形状を有することを特徴とする。
第７発明の保温バンドは、第５または第６発明において、前記発熱材は、酢酸ナトリウム水溶液またはシリカゲルであることを特徴とする。
【発明の効果】
【０００８】
第１発明によれば、外袋に保水材が内包されているので、保水バンドを水に浸し軽く絞った後に首や頭に着用すれば、気化熱の効果により首や頭を冷やすことができる。
第２発明によれば、フレームは弾性力により人体の首および／または頭に留まる形状を有するので、保冷バンドを首および／または頭に容易に装着できる。
第３発明によれば、外袋は内部が幅方向に複数分割されており、分割された一の内部空間にフレームを内包するので、フレームが内包されていない部分が自由に屈曲する。そのため、保水バンドの幅を十分に確保しつつ、首の動作を妨げることがない。
第４発明によれば、外袋は速乾性繊維で織られた布からなるので、保冷バンドを水に浸したとしても、外袋がすぐに乾き、首や頭がべたつく恐れがない。
第５発明によれば、外袋に発熱材が内包されているので、保温バンドを首に着用すれば、首を温めることができ防寒対策となる。
第６発明によれば、フレームは弾性力により人体の首に留まる形状を有するので、保温バンドを首に容易に装着できる。
第７発明によれば、保温バンドは繰り返し使用することができる。
【図面の簡単な説明】
【０００９】
【図１】本発明の第１実施形態に係る保冷バンドの斜視図である。
【図２】図１におけるII-II線矢視断面図である。
【図３】同保冷バンドを首に装着した場合の使用状態説明図である。
【図４】同保冷バンドを頭に装着した場合の使用状態説明図である。
【図５】他の実施形態に係る保冷バンドの斜視図である。
【図６】本発明の第２実施形態に係る保温バンドの斜視図である。
【発明を実施するための形態】
【００１０】
つぎに、本発明の実施形態を図面に基づき説明する。
［保冷バンド］
図１に示すように、本発明の第１実施形態に係る保冷バンドＡは、平面視Ｃ字形のフレーム１と、そのフレーム１を内包する帯状の外袋２と、外袋２に内包された保水材３とからなる。外袋２もフレーム１と同様に平面視Ｃ字形であり、保冷バンドＡは全体として平面視Ｃ字形に形成されている。
【００１１】
フレーム１は、プラスチックや金属などの弾性を有する素材で形成されている。また、フレーム１は、カチューシャの様にその弾性力により人体の首および頭に留まる形状を有しており、例えば、周方向の寸法が３０〜５０cm程度である。
【００１２】
また、図２に示すように、外袋２は、１枚の帯布をその中央で折り返して縁を縫い合わせることにより袋状に形成されている。もちろん、２枚の帯布を重ねてその縁を縫い合わせることにより同様の形状に形成してもよい。
【００１３】
また、外袋２は、幅方向（図２における上下方向）の略中央が縫い合わされており、その内部が幅方向に２分割されている。そして、分割された内部空間のうち下方の内部空間にフレーム１が内包されている。
【００１４】
外袋２の内部には、分割された内部空間の両方に保水材３が内包されている。この保水材３は水を吸水して保持する吸水保持性を有している。保水材３としては、例えば、吸水性樹脂や、吸水性繊維が用いられる。吸収性繊維の布としては、例えば「ベルオアシス」（登録商標）が挙げられる。
【００１５】
外袋２の素材は特に限定はないが、吸水性があり、かつ速乾性に優れた布地を用いることが好ましい。速乾性繊維の布としては、例えば「クールマックス」（登録商標）が挙げられる。
【００１６】
つぎに、本実施形態の保冷バンドＡの使用方法を説明する。
まず、保冷バンドＡを水に浸し、軽くしぼる。つぎに、図３に示すように、保冷バンドＡを首に装着する。ここで、保冷バンドＡは全体として平面視Ｃ字形に形成されており、フレーム１は弾性力により人体の首に留まる形状を有するので、保冷バンドＡの離間した部分から首に挿入するだけで、容易に装着できる。なお、ワイシャツを着ている場合にも、ワイシャツの襟の中に保冷バンドＡを装着できる。
【００１７】
また、保冷バンドＡの保水材３は吸水保持性を有するので、水に浸すと水を吸収することができる。保水材３に水を含んだ状態で保冷バンドＡを首に挿着すれば、気化熱の効果により首筋を冷やすことができる。首には動脈が通っているので、首を冷やすと体全体が冷感を感じ、夏場の暑い時期でも過ごしやすくなる。そのため、屋外での熱中対策のために用いてもよいし、屋内で使用すれば、エアコンをつけずに、もしくは設定温度を上げた状態でも快適に過ごすことができる。
【００１８】
また、外袋２は内部が幅方向に２分割されており、分割された下方の内部空間にフレーム１が内包されているので、フレーム１が内包されていない上部が自由に屈曲する。そのため、保水バンドＡの幅を十分に確保しつつ、首の動作を妨げることがない。
【００１９】
さらに、保冷バンドＡを水に浸したとしても、外袋２は速乾性繊維で織られた布からなるので、外袋２がすぐに乾き、首がべたつく恐れがない。
【００２０】
図４に示すように、保冷バンドＡは首以外にも頭に装着して使用してもよい。
頭に装着する場合にも、まず、保冷バンドＡを水に浸し、軽くしぼる。つぎに、保冷バンドＡを頭に装着する。ここで、保冷バンドＡは全体として平面視Ｃ字形に形成されており、フレーム１は弾性力により人体の頭に留まる形状を有するので、保冷バンドＡの離間した部分から頭に挿入するだけで、容易に装着できる。
【００２１】
頭に装着する場合でも、首に装着する場合と同様の効果を得ることができ、夏場の暑い時期でも屋内外で快適に過ごすことができる。
【００２２】
つぎに、本発明の保冷バンドを利用できる場合を例示すると、ウォーキング、自転車、ドライブ、キャンプ、ゴルフ、テニス、つり、野球、サッカー、ランニングなどのスポーツ、また、各種野外作業、ガーデニングなどの労働などがあるが、もちろん、これらに限ることなく、あらゆる場面で利用することができる。
【００２３】
（その他の実施形態）
上記実施形態に係る保冷バンドＡは、外袋２の内部が幅方向に２分割されているが、外袋は分割されていなくてもよく、また、より複数に分割されてもよい。
【００２４】
例えば、図５に示す保冷バンドＢように、外袋２の内部を幅方向に３分割してもよい。この場合に、フレーム１は、分割された内部空間のうちのどの内部空間に内包されてもよいが、例えば、中央の内部空間に内包すればよい。このような形状とすれば、フレーム１が内包されていない上部および下部が自由に屈曲するため、保水バンドＢの幅を十分に確保しつつ、首の動作を妨げることがない。
【００２５】
［保温バンド］
図６に示すように、本発明の第２実施形態に係る保温バンドＣは、基本的な形状は上記実施形態に係る保冷バンドＡ、Ｂと同様であるが、保水材３に代えて、発熱材４が外袋２に内包されたものである。
より詳細には、保温バンドＣは、平面視Ｃ字形のフレーム１と、そのフレーム１を内包する帯状の外袋２と、外袋２に内包された発熱材４とからなる。外袋２もフレーム１と同様に平面視Ｃ字形であり、保温バンドＣは全体として平面視Ｃ字形に形成されている。
【００２６】
フレーム１は、プラスチックや金属などの弾性を有する素材で形成されている。また、フレーム１は、その弾性力により人体の首に留まる形状を有しており、例えば、周方向の寸法が３０〜５０cm程度である。
【００２７】
また、外袋２は、樹脂製の２枚の帯布を重ねてその縁を熱融着させることにより液密な袋状に形成されている。もちろん、１枚の帯布をその中央で折り返して縁を熱融着させることにより袋状に形成してもよい。
なお、本実施形態において、外袋２はその内部が幅方向に分割されていない。
【００２８】
外袋２の内部には、発熱材４として酢酸ナトリウム水溶液が内包されている。そして、その酢酸ナトリウム水溶液に衝撃を与えるための金属片５も外袋２の内部に内包される。この金属片５は、酢酸ナトリウム水溶液に衝撃を与えることができればどのような形状でもよいが、例えば、凸曲面を有する円盤であり、その凸部を指で押さえて凹んだときに衝撃を発するものが用いられる。
【００２９】
酢酸ナトリウム水溶液は、過冷却が起こりやすく、過冷却時に衝撃を加えると結晶化が起こり、そのときに凝固熱が発生するという性質を有する。なお、この凝固熱は45〜50℃程度であり、１時間程度持続する。また、結晶化した酢酸ナトリウムはお湯などで温めることにより再び溶解する。そのため、繰り返し使えるカイロとして用いられることが知られている。
すなわち、本実施形態に係る保温バンドＣは、繰り返し使えるカイロと同様の機能を有する。
【００３０】
つぎに、本実施形態の保温バンドＣの使用方法を説明する。
まず、金属片５により発熱材４である酢酸ナトリウム水溶液に衝撃を与え、酢酸ナトリウム水溶液を結晶化させる。つぎに、保温バンドＣを首に装着する。ここで、保温バンドＣは全体として平面視Ｃ字形に形成されており、フレーム１は弾性力により人体の首に留まる形状を有するので、保温バンドＣの離間した部分から首に挿入するだけで、容易に装着できる。なお、ワイシャツを着ている場合にも、ワイシャツの襟の中に保温バンドＣを装着できる。
【００３１】
保温バンドＣを首に装着すれば、酢酸ナトリウム水溶液の凝固熱により、首や肩を温めることができる。そのため、防寒対策や肩こりの解消に用いることができる。
また、保温バンドＣが冷えた場合には、保温バンドＣをお湯などで温めて、酢酸ナトリウムを溶解することにより、再び発熱できる状態に戻る。このように、保温バンドＣは、繰り返し使用することができる。
【００３２】
（その他の実施形態）
上記実施形態に係る保温バンドＣは、外袋２の内部に発熱材４として酢酸ナトリウム水溶液が内包されているが、発熱材４は熱を発することができる材料であれば他の材料を用いても良い。
【００３３】
例えば、発熱材４として粒状のシリカゲルを用いてもよい。この場合には、外袋２は樹脂製ではなく空気中の水分を透過する布で形成される。また、外袋２の内部に金属片５は内包されない。
シリカゲルは空気中の水分を吸着する性質を有する。そして、シリカゲルに吸着された水分を電子レンジで加熱することにより、保温効果を得ることができる。そのため、保温バンドＣと同様に、シリカゲルを用いた保温バンドも繰り返し使用することができる。
【符号の説明】
【００３４】
Ａ、Ｂ  保冷バンド
１      フレーム
２      外袋
３      保水材
Ｃ      保温バンド
４      発熱材
５      金属片
【図１】
2013128514.tif 000003
【図２】
2013128514.tif 000004
【図３】
2013128514.tif 000005
【図４】
2013128514.tif 000006
【図５】
2013128514.tif 000007
【図６】
2013128514.tif 000008